(57)【特許請求の範囲】
【請求項１】
肘掛けが、枠状に、または枠の一部をなすような形状に形成され、またねじを貫通させる取付孔を有していて、その肘掛けを、椅子の座体の側面にねじ止めして固定するようにした椅子の肘掛け装置において、
前記肘掛けの内側の開口部をふさぐ覆板の外周に取付金具を飛び出させて設け、この取付金具を、座体と肘掛けの間に挟んで、肘掛けと覆板とを座体の側面に共締めして固定したことを特徴とする椅子の肘掛け装置。
【請求項２】
覆板の表面を、取付金具の固定部を含めて表皮材で覆った請求項１記載の椅子の肘掛け装置。
【請求項３】
覆板の取付金具を、覆板の側板に固定し、その場合に、取付金具を固定している覆板の側板の面を側板の他の面よりも凹ませて、取付金具の固定部の上面を側板の固定面以外の面とほぼ面一とした請求項１または２に記載の椅子の肘掛け装置。
【発明の詳細な説明】
【０００１】
【産業上の利用分野】
本発明は、椅子の肘掛け装置に関する。特に、肘掛け用の覆板を有する肘掛け装置に関する。
【０００２】
【従来の技術】
肘掛け付き椅子においては、より高級感を出すために、肘掛け用の覆板を取り付けたものがある。
最近の肘掛けの多くは、内側が開口する枠状に、または枠の一部を切り取ったような形状、言い換えると、棒状のものを折り曲げたような形状に、アルミニューム軽合金や合成樹脂材等で成形されている。
【０００３】
そして、これらの肘掛けに覆板を取り付ける場合、肘掛けの両側面を覆う２枚の側板を別々に設け、いずれかの側板の内側を、肘掛けにねじ等により固定した後、その側板にもう一方の側板を、接着やテープ止め、または孔に対して軸の一部を係止させるような係止手段等で取り付けている。
【０００４】
【発明が解決しようとする課題】
そのため、上記の従来構造では、覆板の取り付けに時間が掛かる。また、覆板の取り付けのために、肘掛けに雌ねじ等を加工する必要がある。これは、デザイン的に、肘掛けの形状は同じであるが、覆板有り・無しの２種類の椅子を製造したい場合に、覆板のある椅子、覆板のない椅子により、肘掛けを雌ねじ等の有るものと無いものとで使い分ける必要が生じる。
【０００５】
覆板の有る無しに関係なく肘掛けを共通使用をしようとする場合には、覆板を使用しない椅子にも、雌ねじ等を加工した肘掛けを使用することになるから、雌ねじ加工をした分コストアップとなり、また、不用な雌ねじ等が見えて見栄えも悪くなる。
【０００６】
本発明の目的は、覆板の取り付けを簡単に行えるようにするとともに、肘掛けに覆板取り付けのための雌ねじ加工を必要とせず、覆板の有り無しに関係なく肘掛けを共用することができ、しかも、コストアップとならず、見栄えもよくした椅子の肘掛け装置を提供することにある。
【０００７】
【課題を解決するための手段】
本発明は、上記の目的を達成するために、次のような手段を採用している。
(１)肘掛けが、枠状に、または枠の一部をなすような形状に形成され、またねじを貫通させる取付孔を有していて、その肘掛けを、椅子の座体の側面にねじ止めして固定するようにした椅子の肘掛け装置において、前記肘掛けの内側の開口部をふさぐ覆板の外周に取付金具を飛び出させて設け、この取付金具を、座体と肘掛けの間に挟んで、肘掛けと覆板とを座体の側面に共締めして固定 する。
【０００８】
(２) 上記（１）項において、覆板の表面を、取付金具の固定部を含めて表皮材で被覆する。
【０００９】
(３) 上記（１）または（２）項において、覆板の取付金具を、覆板の側板に固定し、その場合に、取付金具を固定している覆板の側板の面を側板の他の面よりも凹ませて、取付金具の固定部の上面を側板の固定面以外の面とほぼ面一とする。
【００１０】
【作用】
肘掛けの枠状の内側の開口部をふさぐ覆板の外周に取付金具を飛び出させて設け、その取付金具に穿設した取付孔を肘掛けの取付孔の位置に一致させて、肘掛けと覆板とを座体の側面にねじで共締めして固定するから、従来の、側板を別々に設けて、それらの側板を肘掛けや一方の側板に固定する作業が不要となり、工数を少なくすることができる。
【００１１】
その場合に、覆板の取付金具を、座体側に設け、座体と肘掛けの間に挟んで、肘掛けと覆板とを座体の側面に共締めすると、取付金具を挟まれた覆板の固定は、確実・強固なものとなり、かつ体裁もよくなる。
【００１２】
さらに、覆板の表面を、取付金具の固定部を含めて表皮材で被覆すると、体裁がさらによくなる（請求項２）。
【００１３】
またさらに、覆板の取付金具を覆板の側板に固定し、取付金具を固定している側板の面を凹ませて、取付金具の固定部の上面を側板の固定面以外の面とほぼ面一とすると、それらの上を表皮材で覆った場合に、第１に、取付金具の出っ張りが見られず、感じられないから、見栄えがよい。第２に、取付金具は覆板の座体側にあるが、側板よりも出っ張らないから、椅子に座って身体が覆板に接触した場合に、ごつごつした強い当たりの不快な感じを与えない(請求項３)。
【００１４】
【実施例】
次に、本発明の一実施例を、図１〜図５を参照して説明する。図１は、本発明の肘掛け装置の一実施例を取り付けた椅子の全体構成を示す分解斜視図である。図１により主要な部品を説明すると、(２)は脚部であって、５個の脚(４)と、その先端に５個のキャスタ(６)と、中央に立つ脚柱(８)とを有している。
【００１５】
脚柱(８)の上部には箱形の基枠(10)が保持されており、さらに基枠(10)の上面には、座体(12)が２個のプレート(14)を介して固定されている。基枠(10)は幾つかの調整・固定機構と、その操作ハンドルを有しているが、それらについては説明を省略する。また、座体(12)は、座席(15)と背凭れ(16)とを有している。
【００１６】
この椅子は肘掛け装置を有する。(18)が肘掛けであって、座体(12)の左右両側に取り付けてあるが、図１ではその一方の図示を省略してある。また、この椅子は、覆板を付けても付けない状態でも使用できるようになっており、不要な場合は覆板を省略するだけでよい。
【００１７】
肘掛け(18)は、断面角形で内側中央に突条部(20)を有する棒状のもので、上部に肘を掛ける水平部(22)と、その水平部(22)の前側で下方に折れ曲がって下後方に下がる前部(24)とを有し、全体として横から見ると略逆Ｌ字形をしている。枠の一部分のような形状とも見られる。
【００１８】
また、肘掛け(18)は、その両端部、即ち水平部(22)の後端と、前部(24)の下端とに取付部(26)(28)を有し、それに横方向に貫通するねじ用の取付孔(30)(30)が穿設されている。一方、座体(12)の側面には、肘掛け(18)の取付孔(30)(30)の位置に対応して、２個の雌ねじ(32)が、１個は背凭れ(16)側に、１個は座席(15)側に設けられており、肘掛け(18)は、その取付部(26)(28)を座体(12)の側面にねじ止めして固定されている。
【００１９】
肘掛け(18)の突条部(20)は、その両端の取付部(26)(28)の間の肘掛け(18)の全長にわたって、内側面の中心線上を同じ幅で連続するように設けられている。  椅子の肘掛け装置としては、棒状の肘掛けだけのものもあるが、この実施例の椅子では、より高級感を出すために、棒状の肘掛け(18)と座体(12)との内側に、できる開口部をふさぐための覆板(34)を取り付けることができる。
【００２０】
この覆板(34)については、図２〜図５を用いて詳しく説明する。
覆板(34)の横方向から見た形は、略菱形をしており、上縁(36)から前縁(38)までは、肘掛け(18)の内側の形状にぴったり嵌まる形であり、後縁(40)から下縁(42)にかけての形は、座体(12)の側面に重なるようになっており、また角が大きな丸みをもっている。
また、覆板(34)の上後ろ角部と下前角部は、肘掛け(18)の両端の内側に出っ張っている取付部(26)(28)の内側形状に合わせて凹み、凹部(56)(58)を作っている。
【００２１】
覆板(34)の構造は、先ず骨組みとしては、木材を使用して、合板製の２枚の側板即ち座体側の側板(44)と外側の側板(46)とを、後縁(40)から下縁(42)にかけては覆板(34)の外形に合わせて湾曲させ、外側角に丸みをつけた木製の端面板(48)により、前側では木製の角形の連結材(50)により、所定の間隔を開けて中を中空にして接合している。
【００２２】
さらに、帯板状の取付金具(52)を、座体側の側板(44)の外側面に重ねて、覆板(34)の上後ろ角から下前角にかけて斜めに張り渡し、木ねじ(54)で固定してある。取付金具(52)は、側板(44)の外側面に重ねてある中間の固定部(64)に対し、両端部に段をつけて取付部(62)(62)とし、覆板(34)の外周から凹部(56)(58)に飛び出させており、その取付金具(52)の取付部(62)(62)に穿設した取付孔(60)(60)は、肘掛け(18)の取付孔(30)(30)の位置に一致させてある。
【００２３】
また、取付金具(52)を固定している側板(44)の面を、他の面よりも取付金具(52)の厚みの分だけ凹ませて、取付金具(52)を重ねた場合に、取付金具(52)の固定部(64)の上面が、側板(44)の固定面以外の面とほぼ面一となるようにしてある。
【００２４】
上記のような取付金具(52)の固定部(64)を含む木製の骨組みの上に、発泡合成樹脂等のクッション材(66)(68)(70)を張り、さらにその上に、合成樹脂、皮等の表皮材(72)(74)(76)を覆って縫い合わせている。
この場合に、側板(44)の上に張った表皮材(72)の面と取付金具(52)の取付部(62)(62)の面とは、略面一となるようにしてある。
【００２５】
また、覆板(34)の２枚の側板(44)と(46)の間隙(48)内には、２枚の側板(44)(46)の内側面に折り込んだ表皮材(72)(74)の厚みを含めて、肘掛け(18)の突条部(20)が嵌まり合うようにしてある。
【００２６】
このような構造の覆板(34)を肘掛け(18)に固定する方法は次の通りである。  先ず、覆板(34)を肘掛け(18)の後ろ下方より押し込んで、覆板(34)の２枚の側板(44)(46)の間隙(48)と、肘掛け(18)の内側面の連続する突条部(20)とを嵌め合わせる。
【００２７】
覆板(34)と肘掛け(18)とはぴったり嵌まり、覆板(34)の取付金具(52)は、座体側の側板(44)の外側面に重ねて固定してあるから、その取付部(62)(62)は、肘掛け(18)の両端の取付部(26)(28)の座体側に重なり、取付金具(52)の取付孔(60)(60)と、肘掛け(18)の取付孔(30)(30)は、ぴったり一致する。この状態で、肘掛け(18)と覆板(34)とを、座体(12)の側面に、その２個の雌ねじ(30)にねじで共締めして固定する。
【００２８】
本実施例での効果は次の通りである。第１に、肘掛け(18)と覆板(34)とを座体(12)の側面にねじで共締めして固定する構造としたから、従来の、覆板となる２枚の側板を別々に設けて、それらの側板を肘掛けや一方の側板に固定する作業が全く不要となり、覆板(34)の取り付け、取り外しがきわめて簡単になる。
【００２９】
第２に、上記の肘掛け(18)と覆板(34)との座体(12)の側面に対する共締め固定の構造は、覆板(34)を固定するための肘掛け(18)に対する雌ねじ加工等を不要とするから、覆板有り無しの椅子の双方に対しても、肘掛け(18)を共通使用することができる。覆板(34)を取り付けない椅子に対して、コストアップとならず、不要な雌ねじ等が見えることによる見栄えの悪さも防ぐことができる。
【００３０】
第３に、覆板の取付金具(52)を、座体側に設け、座体(12)と肘掛け(18)の間に挟んで、肘掛け(18)と共に座体(12)の側面に共締めするから、覆板(34)の固定は確実・強固なものとなる。同じく、覆板(34)の２枚の側板(44)(46)間に間隙を作り、肘掛け(18)の内側面の連続する突条部(20)と嵌め合わせるようにしたことと、側板(44)の上に張った表皮材(72)の面と取付金具(52)の取付部(62)(62)の面とを略面一としたことも、覆板(34)の横方向のがたつきをなくすこと、座体(12)の側面と覆板(34)との密着をもたらすことにより、覆板(34)の固定を確実・強固なものとする。
【００３１】
第４に、覆板(34)の表面を取付金具の固定部(64)を含めて表皮材(72)(74)(76)で被覆することで、取付金具(52)は露出して目立つことがほとんどないから、見栄えをよくする。
【００３２】
第５に、覆板(34)の取付金具(52)を固定している側板(44)の面を凹ませて、取付金具の固定部(64)の上面を側板(44)の固定面以外の面とほぼ面一としているから、それらの上を表皮材(72)で覆った場合に、先ず、取付金具(52)の出っ張りが見られず、感じられないから、見栄えがよい。次に、取付金具(52)は覆板(34)の座体側にあるが、側板(44)よりも出っ張らないから、椅子に座って身体が覆板(34)に接触した場合に、ごつごつした強い当たりの不快な感じを与えることはない。
【００３３】
本実施例では、肘掛けの形状が逆Ｌ字形で枠の一部のような形状の場合であったが、完全な枠状の場合であっても、本発明は適用できる。即ち、枠状の場合には、開放部がないから、肘掛けの内側面に突出部を設けて、その突出部に覆板を嵌め合わせるということはできないが、覆板を肘掛けに横からはめ込んで互いの取付孔を重ね合わせ、座体の側面に共締めすることはできるのであり、それによる効果を得ることができる。
【００３４】
【発明の効果】
本発明は、上記のように構成したから、次の効果を生じる。第１に、肘掛けの枠状の内側の開口部をふさぐ覆板の外周に取付金具を飛び出させて設け、そこに穿設した取付孔を肘掛けの取付孔の位置に一致させて、肘掛けと覆板とを座体の側面にねじで共締めして固定するから、従来の構造よりも組立の工数が少なくなり、覆板の取り付け・取り外しがきわめて簡単になる(全請求項)。
【００３５】
第２に、上記の肘掛けと覆板との共締め固定の構造は、覆板有り無しの椅子の双方に対して肘掛けを共通使用することができ、覆板不要の椅子に対してもコストアップとならず、見栄えの悪さも防ぐことができる(全請求項)。
【００３６】
第３に、覆板の取付金具を、座体側に設け、座体と肘掛けの間に挟んで、肘掛けと覆板とを座体の側面に共締めするから、取付金具を挟まれた覆板の固定は、確実・強固なものとなる。
【００３７】
第４に、覆板の表面を取付金具の固定部を含めて表皮材で被覆するから、取付金具が露出して目立つことはほとんどなく、見栄えをよくする(請求項２)。
【００３８】
第５に、取付金具を覆板の側板に固定する場合に、取付金具を固定している側板の面を凹ませて、取付金具の固定部の上面を側板の固定面以外の面とほぼ面一とするから、それらの上を表皮材で覆った場合に、先ず、取付金具の出っ張りが見られず、感じられないから、見栄えがよい。次に、取付金具は覆板の座体側にあるが、側板よりも出っ張らないから、椅子に座った場合に、ごつごつした局部的に強い当たりの不快な感じを与えない(請求項３)。
【図面の簡単な説明】
【図１】本発明の一実施例を備えた肘掛け付き椅子の分解斜視図である。
【図２】同じく覆板を外側から見た側面図である。
【図３】図２の覆板のＡ−Ａ線断面図である。
【図４】覆板の正面図である。
【図５】図２のＢ−Ｂでの一部断面図である。
【符号の説明】
(12)座体
(18)肘掛け
(20)突条部
(30)取付孔
(34)覆板
(44)(46)側板
(52)取付金具
(60)取付孔
(72)(74)(76)表皮材
【図１】
0003579848.tif 000002
【図２】
0003579848.tif 000003
【図３】
0003579848.tif 000004
【図４】
0003579848.tif 000005
【図５】
0003579848.tif 000006